(57)【要約】【課題】傘用に供される片手で操作可能なスイッチを提供する。【解決手段】傘の中軸の底端に連結できる傘先と、その弯曲部で枢軸をめぐって回転できるように前記傘先と連結されている金尺形構造部材、及びその上端部で傘の中軸に沿ってスライドして傘を開くまたは閉じるスライド部材を連結している連結部材が含まれ、前記傘先に通路が設けられ、前記通路はてっぺんから底端まで伸びてかつその中に可動する前記金尺形構造部材と前記連結部材を収納し、前記通路に底辺があり、前記金尺形構造部材には前記通路の外にあって手掌で押さえるための取手部分と、前記通路の中にあって前記連結部材と相互作用する作動部分を有する。【選択図】図１
2008516703.tif 000002
【特許請求の範囲】
【請求項１】
傘の中軸の底端に連結できる傘先（１）と、その弯曲部で枢軸をめぐって回転できるように前記傘先（１）と連結されている金尺形構造部材（２）、及びその上端部で傘の中軸に沿ってスライドして傘を開くまたは閉じるスライド部材を連結している連結部材（３）が含まれ、前記傘先（１）に通路（４）が設けられ、前記通路（４）はてっぺんから底端まで伸びてかつその中に可動する前記金尺形構造部材（２）と前記連結部材（３）を収納し、前記通路（４）に底辺（１３）があり、前記金尺形構造部材（２）には前記通路（４）の外にあって手掌で押さえるための取手部分（５）と、前記通路（４）の中にあって前記連結部材と互いに押し合う作動部分（６）を有することを特徴とする、傘用に供される片手で操作可能なスイッチ。
【請求項２】
前記金尺構造部材（２）の前記作動部分（６）の端部が前記連結部材（３）の下端に接続されていることを特徴とする請求項１に記載の片手で操作可能なスイッチ。
【請求項３】
さらに連結ロッド（１０）を取り付けてあり、前記金尺形構造部材（２）の前記作動部分（６）の端部が枢軸をめぐって回転できるように前記連結ロッド（１０）の一端と連結され、前記連結ロッド（１０）のもう一端が枢軸をめぐって回転できるように前記連結部材（３）の下端と連結されていることを特徴とする請求項１に記載の片手で操作可能なスイッチ。
【請求項４】
前記作動部分（６）の端部と前記通路（４）の前記底辺（１３）との距離は、前記作動部分（６）が終点まで移動した状態にあるときが、移動前の起点状態にあるときよりやや長いことを特徴とする請求項１に記載の片手で操作可能なスイッチ。
【請求項５】
前記作動部分（６）の端部と前記通路（４）の前記底辺（１３）との距離は、前記作動部分（６）が終点まで移動した状態にあるときが、移動する前の起点状態にあるときよりやや長いことを特徴とする請求項２に記載の片手で操作可能なスイッチ。
【請求項６】
前記作動部分（６）の端部と前記連結ロッド（１０）の中心接点と前記通路（４）の前記底辺（１３）との距離は、前記作動部分（６）が移動する前の起点状態にあるときが、すでに最初の半行程を移動した状態にあるときよりやや長いことを特徴とする請求項１に記載の片手で操作可能なスイッチ。
【請求項７】
前記作動部分（６）の端部と前記連結ロッド（１０）の中心接点と前記通路（４）の前記底辺（１３）との距離は、前記作動部分（６）が移動する前の起点状態にあるときが、すでに最初の半行程を移動した状態にあるときよりやや長いことを特徴とする請求項３に記載の片手で操作可能なスイッチ。
【請求項８】
前記連結部材（３）の下端に横に伸びた伸長部分（１１）があり、枢軸をめぐって回転できるように前記傘先（１）に連結された止め金（８）が設けてあり、圧縮バネ（９）が前期傘先（１）と前記止め金（８）の上端側面の間に設けてあって、前記止め金（８）に偏圧を与え、傘が完全に開いた状態にあるときに前記止め金（８）の下端と前記連結部材（３）の前記伸長部分（１１）が自動的に掛かり、その上端は前記止め金（８）の下端を前記連結部材（３）の前記伸長部分（１１）から離れさせるために指で押えられるようになっていることを特徴とする請求項１から７のいずれか一項に記載の片手で操作可能なスイッチ。
【請求項９】
前記連結部材（３）は直線ロッド（１４）であり、前記作動部分（６）の端部が枢軸をめぐって回転できるように前記直線ロッド（１４）の下端（１５）と連結していることを特徴とする請求項１に記載の片手で操作可能なスイッチ。
【請求項１０】
前記作動部分が下に後退するのを阻止し前記作動部分の起点を規制するのに用いるために、前記通路（４）の前記底辺（１３）の上の前記通路（４）の底端寄りに凸柱（７）が設けていることを特徴とする請求項１から７のいずれか一項に記載の片手で操作可能なスイッチ。
【発明の詳細な説明】
【技術分野】
【０００１】
本発明は、傘用に供される片手で操作可能なスイッチ、特に傘の中軸の底端に連結可能な、片手で操作して傘を開く及び傘を閉じるスイッチ構造に関するものである。
【背景技術】
【０００２】
出願人の米国特許３，７９６，２２６号、中国特許８６１０１４７７．４号（これに対応する米国特許４，６８５，４８２号）、中国特許ＺＬ９５２１１８６１．０号（これに対応するＰＣＴ出願はＰＣＴ／ＣＮ９６／０００２９）、及び米国特許５，９１３，３２１などは傘用に供される片手で操作可能なスイッチについて述べている。その構造は、中軸に沿って滑らすことにより下巣を上巣に滑動させるスライド部材を有する傘に適用され、これのような傘は傘を開くときは指で押す、引っ張るまたは手掌で滑動部材をその作動可能な距離まで移動させるだけで済む。上記特許は引用することにより本発明の中で結合させた。
【特許文献１】米国特許第３，７９６，２２６号
【特許文献２】中国特許第８６１０１４７７．４号
【特許文献３】米国特許４，６８５，４８２号
【特許文献４】中国特許ＺＬ９５２１１８６１．０号
【特許文献５】ＰＣＴ／ＣＮ９６／０００２９
【特許文献６】米国特許５，９１３，３２１号
【発明の開示】
【発明が解決しようとする課題】
【０００３】
本発明の目的は、構造が簡単で、使用し易い傘用に供される片手で操作可能なスイッチを提供することである。
【０００４】
本発明のもう１つの目的は、傘用に供される片手で操作可能なスイッチを提供し、高い機械的効果により、傘を開く最終段階で傘骨を弯曲し傘面を引き締めるのに要する大きな力にタイアップさせることである。
【課題を解決するための手段】
【０００５】
本発明の目的は以下の手段で実現される。即ち、本発明は傘用に供される片手で操作可能なスイッチを提供し、この前記傘用に供される片手で操作可能なスイッチは、傘の中軸の底端に連結できる傘先と、その弯曲部で枢軸をめぐって回転できるように前記傘先と連結されている金尺形構造部材、及びその上端部で傘の中軸に沿ってスライドして傘を開くまたは閉じるスライド部材を連結している連結部材が含まれ、前記傘先に通路が設けられ、前記通路はてっぺんから底端まで伸びてかつその中に可動する前記金尺形構造部材と前記連結部材を収納し、前記通路に底辺があり、前記金尺形構造部材には前記通路の外にあって手掌で乙得るための取手部分と、前記通路の中にあって前記連結部材と互いに押し合う作動部分を有する。
【０００６】
前記傘用に供される片手で操作可能なスイッチにおいて、前記金尺構造部材の前記作動部分の端部が前記連結部材の下端に接続されている。
【０００７】
前記傘用に供される片手で操作可能なスイッチにおいて、さらに連結ロッドを取り付けてあり、前記金尺形構造部材の前記作動部分の端部が枢軸をめぐって回転できるように前記連結ロッドの一端と連結され、前記連結ロッドのもう一端が枢軸をめぐって回転できるように前記連結部材の下端と連結されている。
【０００８】
前記傘用に供される片手で操作可能なスイッチにおいて、前記作動部分の端部と前記通路の前記底辺との距離は、前記作動部分が終点まで移動した状態にあるときが、移動前の起点状態にあるときよりやや長い。
【０００９】
前記傘用に供される片手で操作可能なスイッチにおいて、前記作動部分の端部と前記連結ロッドの中心接点と前記通路の前記底辺との距離は、前記作動部分が移動する前の起点状態にあるときが、すでに最初の半行程を移動した状態にあるときよりやや長い。
【００１０】
前記傘用に供される片手で操作可能なスイッチにおいて、前記連結部材の下端に横に伸びた伸長部分があり、枢軸をめぐって回転できるように前記傘先に連結された止め金が設けてあり、圧縮バネが前期傘先と前記止め金の上端側面の間に設けてあって、前記止め金に偏圧を与え、傘が完全に開いた状態にあるときに前記止め金の下端と前記連結部材の前記伸長部分が自動的に掛かり、その上端は前記止め金の下端が前記連結部材の前記伸長部分から離れさせるために指で押さえられるようになっている。
【００１１】
前記傘用に供される片手で操作可能なスイッチにおいて、前記連結部材は直線ロッドであり、前記作動部分の端部が枢軸をめぐって回転できるように前記直線ロッドと連結している。
【００１２】
前記傘用に供される片手で操作可能なスイッチにおいて、前記作動部分が下に後退するのを阻止し前記作動部分の起点を規制するのに用いるために、前記通路の前記底辺の上の前記通路の底端寄りに凸柱が設けている。
【００１３】
上記構造を採用するため、片手で非常に簡単にこのスイッチを操作して、傘を開いたり、閉じたりすることができる。傘先をもつ手は手掌で当該取手部分を押さえると傘が開く。傘を閉じるときは、傘先の上半部分をもつように手の位置を変え、指で傘先に取り付けてある止め金の上端を押し、傘先を上に持ち上げると、地球の引力が働いて傘の重量によって傘が閉じられる。あるいは傘を開いたときに蓄えられた力、例えば傘を開くときに圧縮したバネの弾力を使って傘が閉じられる。
【発明を実施するための最良の形態】
【００１４】
以下、添付の図と併せながら本発明の推奨する実施例を記載する。
【実施例１】
【００１５】
図１から図２を参照すると、本発明の実施例１の片手で操作可能なスイッチは、傘の中軸の底端に連結できる傘先１と、その弯曲部で枢軸をめぐって回転できるように傘先１と連結されている金尺形構造部材２と、下端に横に伸びた伸長部分１１、及び上端に連結したり、枢軸をめぐって回転できるように連結したり、または中軸に沿ってスライドして傘を開くまたは閉じるスライド部材（図示せず）を接続している連結部材３が含まれる。傘先１の内部に通路４が設けられ、その通路は先端から底端まで伸びてかつその中に可動する金尺形構造部材２と連結部材３を収納する。通路４の横には孔１２が設けてあり、傘の中軸の底端を収めることができると同時に相互連結されている。金尺形構造部材２の取手部分５は手掌で押さえられるように通路４の外にあり、金尺構造部材２の作動部分６は通路の中にありその端部が連結部材３の下端に接続されて互いに押し合っている。通路４の底辺１３の上の通路４の底端寄りに凸柱７が設けてあり、作動部分６が下に後退するのを阻止し作動部分６の起点を規制するのに用いる。止め金８が枢軸をめぐって回転できるように傘先１の上半部分に設けてあり、圧縮バネ９が傘先１と止め金８の上端側面の間に設けてあって、止め金に時計回り方向に偏圧を与える。止め金８の下端は、作動部分６が終点まで移動したときに、連結部材３の伸長部分１１と互いに掛かり、その上端は止め金８の下端を連結部材３の伸長部分１１から離れさせるために指で押えられるようになっている。傘を開きたいときは、傘先１を持った手の手掌で取手部分５を押さえると作動部分６が連結部材３を押し動かし、作動部分６が終点に達すると、止め金８と連結部材３の下端の伸長部分１１が自動的に互いに掛かり傘を完全に開いた状態に維持する。傘を閉じたいときは、傘先１をもつ手の場所を傘先１の上半部分を持つように変え、指で止め金８の上端を押し、同時に傘先を上に持ち上げると、地球の引力が働いて傘の重量によって傘が閉じられる。あるいは傘を開いたときに蓄えられた力を利用して傘を閉じる。例えば傘を開くときに圧縮したバネ（未図示）の弾力が傘を閉じる。
【００１６】
本発明の上記実施例において、該作動部分６の端部と該連結部材の下端は互いに接続しており、該相互接続箇所と該通路４の底辺１３との距離は、該作動部分６が終点まで移動した状態にあるときが、移動前の起点状態にあるときよりやや長くなるように設計する。従って、該作動部分６が最初の半行程を移動すると、該連結部材３は傘が半分以上開くのに要する行程を移動することになり、該作動部分６が後の半行程を移動したとき、該連結部材３は傘を半分開くのに要する行程より少なく移動すればよく、そのために高い機械的効果が得られ、傘を開く最終段階で傘骨を弯曲し傘面を引き締めるのに要する大きな力にタイアップさせることができる。該作動部分６の端部と該連結部材３の下端が相互に接続している箇所と該通路４の底辺１３との距離の状態別の違いは設計によって異なるが、該作動部分６と該連結部材３は変わりなく相互に押し合い、支障なくタイアップ作動する。
【実施例２】
【００１７】
図３と図４に示す本発明の実施例２を参照すると、作動部分６の端部が枢軸をめぐって回転できるように連結ロッド１０の一端と連結され、該連結ロッド１０のもう一端が枢軸をめぐって回転できるように連結部材３の下端と連結されている。該片手スイッチも上記と同じ方法で使用する。
【００１８】
本発明の前記実施例２において、該作動部分６と該連結ロッド１０の中心接点と該通路４の底辺１３との距離は、該作動部分６が移動する前の起点状態にあるときが、すでに最初の半行程を移動した状態にあるときよりやや長くなるように設計する。従って、該作動部分６が最初の半行程を移動すると、該連結部材３は傘が半分以上開くのに要する行程を移動することになり、該作動部分６が後の半行程を移動したとき、該連結部材３は傘を半分開くのに要する行程より少なく移動すればよく、そのために高い機械的効果が得られ、傘を開く最終段階で傘骨を弯曲し傘面を引き締めるのに要する大きな力にタイアップさせることができる。該作動部分６と該連結ロッド１０の中心接点と該通路の底辺１３との距離の状態別の違いは設計によって異なるが、該作動部分６と該連結部材３は変わりなく相互に押し合い、支障なくタイアップ作動する。
【実施例３】
【００１９】
図５を参照すると、本発明の実施例３において、傘先１上に取り付けられた止め金８を減らしている。連結部材は直線ロッド１４であり、作動部分６の端部が枢軸をめぐって回転できるように直線ロッド１４の下端１５と連結している。傘を開くとき、傘先１を持った手の手掌で取手部分５を押さえると作動部分６が直線ロッド１４を押し動かし傘を開き、手は取手部分５をそのまましっかり握って傘を開いた状態に維持させる。傘を閉じるとき、手を緩め同時に傘先１の上半部を持つように変え、傘先を上に持ち上げると、地球の引力が働いて傘の重量によって傘が閉じられる。あるいは傘を開いたときに蓄えられた力、例えば傘を開くときに圧縮したバネ（未図示）の弾力を利用して傘を閉じる。
【産業上の利用可能性】
【００２０】
本発明が提供する傘用に供される片手で操作可能なスイッチは、構造が簡単、使用し易いなどの長所があり、その上、高い機械的効果により傘を開く最終段階で傘骨を弯曲し傘面を引き締めるのに要する大きな力にタイアップさせることができる。
【図面の簡単な説明】
【００２１】
【図１】図１は、本発明の実施例１の傘用に供される片手で操作可能なスイッチの具体的な構造図であり、図は作動前にある状態を示す。
【図２】図２は、図１に示す傘用に供される片手で操作可能なスイッチを操作し、傘が完全に開いた状態にするよう連結部材を移動させたことを示す。
【図３】図３は、本発明の実施例２の傘用に供される片手で操作可能なスイッチの具体的な構造図であり、図は枢軸をめぐって回転できるように作動部分と連結部材の間に連結された連結ロッドが起点にある時の状態を示す。
【図４】図４は、図３に示す傘用に供される片手で操作可能なスイッチの、枢軸をめぐって回転できるように作動部分と連結部材の間に連結された連結ロッドが終点にある時の状態を示す。
【図５】図５は、本発明の実施例３の傘用に供される片手で操作可能なスイッチの具体的な構造図であり、図は作動部分の端部が枢軸をめぐって回転できるように連結部材と連結されていることを示す。
【図１】
2008516703.tif 000003
【図２】
2008516703.tif 000004
【図３】
2008516703.tif 000005
【図４】
2008516703.tif 000006
【図５】
2008516703.tif 000007
【国際調査報告】
2008516703.tif 000008
2008516703.tif 000009
2008516703.tif 000010
2008516703.tif 000011